(57)【要約】  【課題】  小型で、取り扱いの容易なイオン導入具を提供する。  【解決手段】  マグネシウム合金製外筒体(３)と、この外筒体(３)の内部に所定間隔隔てて同芯状に配置した銅製内筒体(４)と、内部に内筒体(４)を収容してなる外筒体(３)の両端開口部を密封閉止する一対の蓋体(５)(６)とでローラ本体(１)を構成する。該ローラ本体(１)をハンドル(２)に相対回動自在に枢支する。外筒体(３)の内部に装着した内筒体(４)の内部空間(11)と、外筒体(３)の内周面(８)と内筒体(４)の外周面(９)との間の空間(10)との少なくとも外筒体(３)の内周面(８)と内筒体(４)の外周面(９)との間の空間(10)に水を封入する。【選択図】    図１
2010088637.tif 000002
【特許請求の範囲】
【請求項１】
マグネシウム合金製外筒体(３)と、この外筒体(３)の内部に所定間隔隔てて同芯状に配置した銅製内筒体(４)と、内部に内筒体(４)を収容してなる外筒体(３)の両端開口部を密封閉止する一対の蓋体(５)(６)とを具備したローラ本体(１)と、該ローラ本体(１)を相対回動自在に枢支しているハンドル(２)とから構成されており、外筒体(３)の内部に装着した内筒体(４)の内部空間(11)と、外筒体(３)の内周面(８)と内筒体(４)の外周面(９)との間の空間(10)との少なくとも外筒体(３)の内周面(８)と内筒体(４)の外周面(９)との間の空間(10)に水を封入してあることを特徴とするイオン導入具。
【請求項２】
外筒体(３)の外周面をその中央部での外径(ｄ１)が両端部での外径(ｄ２)よりも小径となる鼓形に形成されている請求項１に記載のイオン導入具。
【発明の詳細な説明】
【技術分野】
【０００１】
本発明は、イオン注入法に使用するイオン導入具に関し、特に、小型で、取り扱いの容易なイオン導入具に関する。
【背景技術】
【０００２】
イオン注入法は、正または負に荷電した電極と、イオン性生理活性物質との電気的反発力を利用して、生理活性物質を経皮的に投与する方法で、注射投与などとは違って、原理上、投与に際して、痛みや恐怖感等の肉体的、精神的な苦痛を伴わないという特徴を有しており、美容の分野で良く利用されている。
【０００３】
従来のイオン注入器は、例えば、特許文献１に示されているように、本体内に電源を装着し、本体からの突出部に一方の電極を形成すると共に、本体のハンドル部分に他方の電極を配置した構造になっている。
【特許文献１】特開２００４−２０１８８４号公報
【発明の開示】
【発明が解決しようとする課題】
【０００４】
ところが、従来のイオン注入器は内部に電源を有していることから、器具自体のサイズが大きくなるうえ、電極と通電用操作スイッチとの相対位置関係が決まっていることから、使用姿勢によっては非常に操作しにくいという問題があった。
【０００５】
本発明は、このような点に着目して、特に、小型で、取り扱いの容易なイオン導入具を提供することを目的とする。
【課題を解決するための手段】
【０００６】
上述の目的を達成するために、請求項１に記載の本発明は、マグネシウム合金製外筒体と、この外筒体の内部に所定間隔隔てて同芯状に配置した銅製内筒体と、内部に内筒体を収容してなる外筒体の両端開口部を密封閉止する一対の蓋体とを具備したローラ本体と、該ローラ本体を相対回動自在に枢支しているハンドルとから構成されており、外筒体の内部に装着した内筒体の内部空間と、外筒体の内周面と内筒体の外周面との間に形成される空間との少なくとも外筒体の内周面と内筒体の外周面との間の空間に水を封入してあることを特徴としている。
【発明の効果】
【０００７】
本発明では、マグネシウム合金製外筒体とその内側に所定の空間を隔てて同芯状に配置した銅製内筒体との間に水を封入していることから、両金属間に位置する水の存在により両金属間に電位差が生じ、発生した電位差を利用して、生理活性物質を経皮的に注入投与することができる。そして、異種金属間に生じる電位差を利用するものであることから、電源を器具本体内な組み込む必要がなく、小型に構成することができる。さらに、前記したように異種金属間に生じる電位差を利用するものであることから、操作スイッチは不要となり、種々の使用姿勢をとることができる。
【発明を実施するための最良の形態】
【０００８】
図は本発明の一実施形態を示し、図１はローラ部分の断面図、図２は使用状態での概略斜視図である。
このイオン導入具は、ローラ本体(１)と、このローラ本体(１)を長手方向軸を中心として回動自在に枢支するハンドル(２)とで構成してある。
【０００９】
ローラ本体(１)は、マグネシウム合金製外筒体(３)と、この外筒体(３)の内部に所定間隔隔てて同芯状に配置した銅製内筒体(４)と、内部に内筒体(４)を収容してなる外筒体(３)の両端開口部を密封閉止する一対のアルミニウム合金製の蓋体(５)(６)とで構成してある。
【００１０】
銅製内筒体(４)はその一端部においてその口径を拡大させてあり、その拡径部(７)をマグネシウム合金製外筒体(３)の内周面に水密状に挿嵌固定してある。外筒体(３)に接合されている内筒体(４)の拡径部(７)での内面に一方の蓋体(５)をその接合部での水密を保持する状態で挿嵌固定してある。
【００１１】
一方、外筒体(３)及び内筒体(４)の他端部は、外筒体(３)の内周面(８)と内筒体(４)の外周面(９)との間に所定の間隔を維持した同心二重筒の状態に構成してあり、この同芯二重筒の状態を維持する姿勢で他方の蓋体(６)を螺着して、他端側での水密を維持するようにしてある。
【００１２】
また、外筒体(３)の外周面は、その長手方向中央部での外径(ｄ１)が両端部での外径(ｄ２)よりも小径となる滑らかな凹曲面に形成してあり、全体として鼓形をなしている。
【００１３】
このように構成したイオン導入具では、その使用時に、取り外し可能な蓋体(６)を螺開し、外筒体(３)の内周面(８)と内筒体(４)の外周面(９)との間に形成されている空間(10)に水を充填し、蓋体(６)を螺着することで、ローラ本体(１)の内部に水を封入する。
【００１４】
このように、ローラ本体(１)の内部に水を封入することにより、ローラ本体(１)では、外筒体(３)と内筒体(４)との素材に起因して、外筒体(３)と内筒体(４)との間に形成されている空間(10)に充填した水にイオンが溶出し、内外筒体間に電位差が生じることになる。
【００１５】
そしてこの場合、異種金属間に水等の極性溶媒を存在させことで、両金属間に電位差を生じさせるものであるから、イオン発生のための電力を要しないから、ローラ本体(１)に電源を組み込まなくても良く、全体として小型軽量に形成することができるうえ、イオン発生操作のために、スイッチ類を配置することもなくなるから、自由姿勢で使用することができる。
【００１６】
上述の構成からなるイオン注入器で、異種金属間に発生した電位差を利用して、例えば、皮膚に塗布したビタミンＣ等のイオン性生理活性物質を経皮的に注入投与することができる。
【００１７】
そして、上述の実施形態で説明したように、ローラ本体(１)を構成している外筒体(３)の外表面を長手方向でその中央部が両端部よりも凹陥した形状の凹曲面に構成しておくと、人肌に広い面積で接触することになるから、注入投与の効率が高くなる。
【００１８】
また、上記の実施形態では、外筒体(３)と内筒体(４)との間に形成される空間(10)に水を充填封入しているが、該空間(10)とともに内筒体(４)の内部空間(11)にも水を充填封入するようにしても良い。
【産業上の利用可能性】
【００１９】
本発明は、美顔器用ローラを始めとするイオン注入器として利用することができる。
【図面の簡単な説明】
【００２０】
【図１】ローラ部分の断面図である。
【図２】使用状態での概略斜視図である。
【符号の説明】
【００２１】
１…ローラ本体、２…ハンドル、３…外筒体、４…内筒体、５・６…蓋体、８…外筒体内周面、９…内筒体の外周面、10…内・外筒体間の空間、11…内筒体の内部空間、ｄ１…外筒体中央部での外径、ｄ２…外筒体両端部での外径。
【図１】
2010088637.tif 000003
【図２】
2010088637.tif 000004